(57)【要約】【課題】  需要者の目を引く新味に溢れた飲料物用パッケージを提供する。【解決手段】  飲料が充填されるボトル１００と、このボトル１００の底部１１０が嵌まり込む下側枡２１０と、前記ボトル１００の上部１２０に被せられる上側枡２２０と、前記ボトル１００に沿って上側枡２２０と下側枡２１０との間に介在される木質部材３００と、前記下側枡２１０にボトル１００の底部１１０を嵌め込み、当該ボトル１００に前記上側枡２２０を被せかつ前記木質部材３００を上側枡２２０と下側枡２１０との間に介在させた状態で全体を収納するパック体４００とを備えており、前記パック体４００は、少なくとも正面側が透光性を有している。【選択図】      図１
0003189190.tif 000002
【実用新案登録請求の範囲】
【請求項１】
飲料が充填されるボトルと、このボトルの底部が嵌まり込む下側枡と、前記ボトルの上部に被せられる上側枡と、前記ボトルに沿って上側枡と下側枡との間に介在される木質部材と、前記下側枡にボトルの底部を嵌め込み、当該ボトルに前記上側枡を被せかつ前記木質部材を上側枡と下側枡との間に介在させた状態で全体を収納するパック体とを具備しており、前記パック体は、少なくとも正面側が透光性を有することを特徴とする飲料物用パッケージ。
【請求項２】
前記ボトルは、縦長の直方体状であることを特徴とする請求項１記載の飲料物用パッケージ。
【請求項３】
前記木質部材は、ボトルの左右側面側及び背面側に沿うように３枚であることを特徴とする請求項１又は２記載の飲料物用パッケージ。
【請求項４】
前記木質部材のうちの少なくとも一部は、複数膳の割り箸を平板状に並べたものであることを特徴とする請求項１、２又は３記載の飲料物用パッケージ。
【請求項５】
前記木質部材は、無垢材であることを特徴とする請求項１、２又は３記載の飲料物用パッケージ。
【考案の詳細な説明】
【技術分野】
【０００１】
本考案は、飲料が充填されたボトルを包装する飲料物用パッケージに関する。
【背景技術】
【０００２】
飲料、例えば清酒は一升瓶や５００ｍｌのボトルに充填された状態で紙製や木製の包装箱で包装される。この包装箱は旧来以前のものが多く、伝統的であるとはいえ新味に欠けるものであった。
特に清酒はここ近年の需要が低下していることもあり、需要者に興味をもってもらうための新たな包装箱（パッケージ）が望まれているところでもある。
【０００３】
一方、包装箱には、内容物の緩衝材としての役目もあり、この観点からは各種の緩衝材が提案されている。例えば、特許第４６６３４９８号の『瓶の緩衝材』である。
【０００４】
【特許文献１】特許第４６６３４９８号公報
【考案の開示】
【考案が解決しようとする課題】
【０００５】
しかしながら、この特許文献１記載のものであっても、所詮は緩衝材であり、需要者に興味をもってもらうための新味があるものではない。
【０００６】
本考案は、上記事情に鑑みて創案されたもので、需要者の目を引く新味に溢れた飲料物用パッケージを提供することを目的としている。
【課題を解決するための手段】
【０００７】
本考案に係る飲料物用パッケージは、飲料が充填されるボトルと、このボトルの底部が嵌まり込む下側枡と、前記ボトルの上部に被せられる上側枡と、前記ボトルに沿って上側枡と下側枡との間に介在される木質部材と、前記下側枡にボトルの底部を嵌め込み、当該ボトルに前記上側枡を被せかつ前記木質部材を上側枡と下側枡との間に介在させた状態で全体を収納するパック体とを備えており、前記パック体は、少なくとも正面側が透光性を有している。
【考案の効果】
【０００８】
本考案に係る飲料物用パッケージは、ボトルの底部に下側枡を嵌め込み、ボトルの上部に上側枡を被せ、木質部材の背面材をボトルの背面側に、右側面材をボトルの右側面に、左側面材をボトルの左側面にそれぞれ沿わせたものをパック体に入れ込むと、ボトルの正面のみが開いた状態であたかも木製の包装箱に格納されたようにも見え、需要者の目を引く新味に溢れた飲料物用パッケージとなっている。また、ボトルは木質部材等で囲まれているので、耐衝撃性に優れたものとすることができる。
【０００９】
また、本考案に係る飲料物用パッケージは、木質部材のうちの少なくとも一部を複数膳の割り箸を平板状に並べたものとすると、木質部材をより有意義に利用することができるとともに、商品性を高めることができる。
【図面の簡単な説明】
【００１０】
【図１】本考案の実施の形態に係る飲料物用パッケージの概略的分解斜視図である。
【図２】本考案の実施の形態に係る飲料物用パッケージの概略的斜視図である。
【図３】本考案の実施の形態に係る飲料物用パッケージのボトル、下側枡及び上側枡の関係を示す概略的斜視図である。
【図４】本考案の実施の形態に係る飲料物用パッケージの木質部材の変形例を示す概略的正面図である。
【図５】本考案の実施の形態に係る飲料物用パッケージの木質部材のその他の変形例を示す概略的正面図である。
【図６】本考案の実施の形態に係る飲料物用パッケージの木質部材のさらにその他の例を示す概略的斜視図である。
【考案を実施するための形態】
【００１１】
本考案の実施の形態に係る飲料物用パッケージは、飲料が充填されるボトル１００と、このボトル１００の底部１１０が嵌まり込む下側枡２１０と、前記ボトル１００の上部１２０に被せられる上側枡２２０と、前記ボトル１００に沿って上側枡２２０と下側枡２１０との間に介在される木質部材３００と、前記下側枡２１０にボトル１００の底部１１０を嵌め込み、当該ボトル１００に前記上側枡２２０を被せかつ前記木質部材３００を上側枡２２０と下側枡２１０との間に介在させた状態で全体を収納するパック体４００とを備えており、前記パック体４００は、少なくとも正面側が透光性を有している。
【００１２】
前記ボトル１００は、図１に示すように、上部１２０に注ぎ口１２１が突出した縦長の略直方体状に構成されている。また、このボトル１００の底部１１０は長方形に設定されている。さらに、このボトル１００は、充填される飲料（例えば、清酒）を通して木質部材３００を視認することができるように透明なガラスから構成されている。
【００１３】
前記下側枡２１０は、杉等の間伐材から加工された無垢材で構成されるものであって、図３等に示すように、前記ボトル１００の底部１１０がすっぽりと嵌まり込む大きさに設定されている。また、前記上側枡２２０は、この下側枡２１０と同形のものとなっている。上側枡２２０は、ボトル１００の上部１２０に被せた場合、上部１２０から突出した注ぎ口１２１の先端が上側枡２２０の内側底面に接し、注ぎ口１２１をカバーしなければならない。従って、上側枡２２０と下側枡２１０の深さ寸法は、前記注ぎ口１２１の高さ寸法に応じて設定されている。
なお、図２においては、上側２２０は一点鎖線で表示されている。
【００１４】
一方、前記木質部材３００は、ボトル１００の背面側に配置される背面材３１０と、ボトル１００の右側面側に配置される右側面材３２０と、ボトル１００の左側面側に配置される左側面材３３０とから構成されている。背面材３１０、右側面材３２０及び左側面材３３０は長方形状に形成されている。
【００１５】
このうち、前記右側面材３２０は、幅寸法が下側枡２１０の奥行き寸法と等しく設定されている。また、右側面材３２０の高さ寸法は、底部１１０に下側枡２１０を嵌め込み、かつ上部１２０に上側枡２２０を被せた状態での上側枡２２０と下側枡２１０との間の寸法に等しく設定されている。
なお、前記左側面材３３０は、右側面材３２０と同等に設定されている。
【００１６】
また、前記背面材３１０の高さ寸法は、右側面材３２０と同等に設定されているが、幅寸法は、右側面材３２０の幅寸法から右側面材３２０の厚さ寸法の２倍を引いた寸法に設定されている。これは、背面材３１０が、右側面材３２０と左側面材３３０との間に嵌まり込まなければならないためである。
【００１７】
前記パック体４００は、例えばポリプロピレン、ポリエチレンテレフタレート、ポリ塩化ビニール等が使用される。このパック体４００は、下側が閉塞された四角筒体状の本体部４１０と、この本体部４１０の上側を開閉可能に閉塞する上蓋体部４２０とが一体に形成されたものである。このパック体４００は、下側枡２１０にボトル１００の底部１１０を嵌め込み、当該ボトル１００に上側枡２２０を被せかつ木質部材３００である右側面材３２０、左側面材３３０及び背面材３１０を上側枡２２０と下側枡２１０との間に介在させた状態で全体を収納するものであるから、その高さ寸法はボトル１００を上側枡２２０と下側枡２１０とで挟んだ状態の高さ寸法と、幅寸法及び奥行き寸法は上側枡２２０及び下側枡２１０のそれとそれぞれ等しく設定されている。
【００１８】
ボトル１００の底部１１０に下側枡２１０を嵌め込み、ボトル１００の上部に上側枡２２０を被せ、木質部材３００の背面材３１０をボトル１００の背面側に、右側面材３２０をボトル１００の右側面に、左側面材３３０をボトルの左側面にそれぞれ沿わせたものをパック体４００に入れ込むと、図２に示すように、ボトル１００の正面のみが開いた状態であたかも木製の包装箱に格納されたようにも見える。なお、図２では作図の都合上、パック体４００と、その内容物（ボトル１００、上側枡２２０、下側枡２１０、木質部材３００）との間に若干の隙間があるように表示しているが、実際には正面側以外にほとんど隙間がない。
【００１９】
このように構成された飲料物用パッケージでは、上側枡２２０及び下側枡２１０は、飲酒用の枡として使用することができる。また、木質部材３００である右側面材３２０、左側面材３３０及び背面材３１０は、室内に放置して無垢材ならではの清々しい木の香りを楽しんだり、浴槽内のお湯に浸けてあたかも木製の浴槽であるかのような清々しい木の香りを楽しむことができる。
すなわち、かかる飲料物用パッケージの一部を構成する上側枡２２０、下側枡２１０、木質部材３００は後々も使用したり、楽しんだりすることができるものとなっている。
【００２０】
上述した実施の形態では、木質部材３００は、無垢材をそのものであったが、図４に示すようなものであってもよい。図４には、木質部材３００の１つである背面材３１０を示している。この背面材３１０は、複数膳の割り箸３１１、それも他の木質部材３００である右側面材３２０及び左側面材３３０と同じ素材から構成された割り箸３１１から構成されている。この複数膳（図４では４膳）の割り箸３１１は、横方向に並べられて帯状の和紙等で一括りにしたり、ビニール素材でシュリンクパックにしたりして、背面材３１０として使用する。
なお、図５に示すように、上部と下部とで幅寸法が異なる割り箸３１１、例えば天削箸と称されるものであれば、複数本の割り箸３１１（図５では６膳）の上部と下部とを交互に入れ換えて横方向に並べることでより長方形状に近い背面材３１０とする。
また、図示はしていないが、割り箸３１１を収納する割り箸袋を飲料物用パッケージに格納しておくことも可能である。
【００２１】
割り箸３１１から構成されるのは、木質部材３００のうちの背面材３１０のみに限られるものではなく、右側面材３２０や左側面材３３０を同等の構成としてもよいことはいうまでもない。
【００２２】
また、木質部材３００を室内に放置して無垢材ならではの清々しい香りを楽しむため、図６に示すように、木質部材３００の背面材３１０等の天縁部に貫通孔３１２を開設しておき、この貫通孔３１２に吊るし紐３１３を通すようにしてもよい。この場合、吊るし紐３１３を飲料物用パッケージに格納しておけばよい。
【００２３】
木質部材３００（割り箸３１１から構成されるものを除く）や上側枡２２０、下側枡２１０には、生産者の商標や『寿』等のおめでたい文字、生産地の名勝地の絵柄等を焼き印で印しておくことも可能である。このように木質部材３００や上側枡２２０、下側枡２１０に焼き印を施すことでより商品性を高めることができる。
【００２４】
なお、上述した実施の形態では、ボトル１００は、上部１２０に注ぎ口１２１が突出した縦長の略直方体状に構成されているとしたが、一般的な円筒形状のものであってもよいことはいうまでもない。
【００２５】
また、上述した実施の形態では、パック体４００は、全体が透明であるとしたが、少なくとも正面側が透光性を有するものであればよい。正面側が透光性を有するのであれば、正面側から内部のボトル１００や右側面材３２０、左側面材３３０を視認することができるし、ボトル１００が透光性を有するものであれば、ボトル１００を介して背面材３１０をも視認することができるためである。
【００２６】
また、ボトル１００に充填される飲料として清酒を挙げたが、他の飲料であってもよいことはもちろんである。
【符号の説明】
【００２７】
１００    ボトル
１１０    （ボトルの）底部
１２０    （ボトルの）上部
２１０    下側枡
２２０    上側枡
３００    木質部材
４００    パック体
【図１】
0003189190.tif 000003
【図２】
0003189190.tif 000004
【図３】
0003189190.tif 000005
【図４】
0003189190.tif 000006
【図５】
0003189190.tif 000007
【図６】
0003189190.tif 000008